(57)【要約】【課題】従来、石炭火力発電所における石炭バンカの焚き切り運転は、現場にてバンカ内の石炭レベルを目視し、中央制御室からの指令により給炭機の給炭量を減少させていき、現場のバンカレベルゼロの連絡と同時にコールゲート弁を閉鎖操作していたため、多数の人員配置が必要であった。【解決手段】石炭バンカ１０内の石炭量をレベル計で監視し、給炭機１４の給炭量を焚き切り給炭量になるように自動で減少させ、石炭量がゼロレベルに達したところで石炭バンカ１０から給炭機１４に達する供給路１３に設けたコールゲート弁１５を自動で閉鎖し、給炭機１４を自動停止するようにしてなる火力発電システムにおける石炭バンカ自動焚き切り操作方法とそのシステム。【選択図】図１
2008111586.tif 000002
【特許請求の範囲】
【請求項１】
石炭バンカ内の石炭を給炭機を介してミルに供給し、ミルで粉塵化した石炭を熱空気と混合してボイラの石炭バーナーに供給するようになしたボイラの給炭システムを有する火力発電システムにおいて、石炭バンカ内の石炭量をレベル計で監視し、石炭量が所定の焚き切り開始レベルに達したところで給炭機の給炭量を所定の割合で所定の焚き切り給炭量になるように自動で減少させ、焚き切り給炭量で運転して石炭バンカ内の石炭量がゼロレベルに達したところで石炭バンカから給炭機に達する供給路に設けたコールゲート弁を自動で閉鎖し、次いで給炭機を自動停止するようにしてなる火力発電システムにおける石炭バンカ自動焚き切り操作方法。
【請求項２】
請求項１に記載の火力発電システムにおける石炭バンカ自動焚き切り操作方法において、給炭機の焚き切り給炭量がボイラに供給し得る最低給炭量に設定してある火力発電システムにおける石炭バンカ自動焚き切り操作方法。  
【請求項３】
請求項１又は２に記載の火力発電システムにおける石炭バンカ自動焚き切り操作方法において、給炭機の焚き切り給炭量が通常運転時の給炭量の約半分に設定してある火力発電システムにおける石炭バンカ自動焚き切り操作方法。  
【請求項４】
請求項１、２又は３に記載の火力発電システムにおける石炭バンカ自動焚き切り操作方法において、石炭バンカの上部に設けたレベル計で石炭バンカ内の石炭量を監視するようにした火力発電システムにおける石炭バンカ自動焚き切り操作方法。
【請求項５】
請求項４に記載の火力発電システムにおける石炭バンカ自動焚き切り操作方法において、レベル計が超音波方式からなる火力発電システムにおける石炭バンカ自動焚き切り操作方法。
【請求項６】
請求項１乃至５のいずれかに記載の火力発電システムにおける石炭バンカ自動焚き切り操作方法において、石炭バンカの下部に設けたローレベル監視用のレベル計で石炭バンカ内の石炭量を監視するようにした火力発電システムにおける石炭バンカ自動焚き切り操作方法。
【請求項７】
請求項１乃至６のいずれかに記載の火力発電システムにおける石炭バンカ自動焚き切り操作方法において、給炭機停止後にミルを停止するようにした火力発電システムにおける石炭バンカ自動焚き切り操作方法。
【請求項８】
石炭バンカ内の石炭を給炭機を介してミルに供給し、ミルで粉塵化した石炭を熱空気と混合してボイラの石炭バーナーに供給するようになしたボイラの給炭システムを有する火力発電システムにおいて、石炭バンカ内の石炭量をレベル計で監視する手段と、レベル計の出力を取り込んで石炭量が所定の焚き切り開始レベルに達したところで給炭機の給炭量を所定の割合で所定の焚き切り給炭量になるように自動で減少させるように制御する手段と、焚き切り給炭量で運転を継続してレベル計の出力が石炭バンカ内の石炭量がゼロレベルに達したところで石炭バンカから給炭機に達する供給路に設けたコールゲート弁を自動で閉鎖する手段と、給炭機を自動停止する手段とからなる火力発電システムにおける石炭バンカ自動焚き切り操作システム。
【請求項９】
請求項８に記載の火力発電システムにおける石炭バンカ自動焚き切り操作システムにおいて、給炭機の焚き切り給炭量がボイラに供給し得る最低給炭量に設定してある火力発電システムにおける石炭バンカ自動焚き切り操作システム。  
【請求項１０】
請求項８又は９に記載の火力発電システムにおける石炭バンカ自動焚き切り操作システムにおいて、給炭機の焚き切り給炭量が通常運転時の給炭量の約半分に設定してある火力発電システムにおける石炭バンカ自動焚き切り操作システム。
【請求項１１】
請求項８、９又は１０に記載の火力発電システムにおける石炭バンカ自動焚き切り操作システムにおいて、石炭バンカの上部に設けたレベル計で石炭バンカ内の石炭量を監視するようにした火力発電システムにおける石炭バンカ自動焚き切り操作システム。
【請求項１２】
請求項１１に記載の火力発電システムにおける石炭バンカ自動焚き切り操作システムにおいて、レベル計が超音波方式からなる火力発電システムにおける石炭バンカ自動焚き切り操作システム。
【請求項１３】
請求項８乃至１２のいずれかに記載の火力発電システムにおける石炭バンカ自動焚き切り操作システムにおいて、石炭バンカの下部に設けたローレベル監視用のレベル計で石炭バンカ内の石炭量を監視するようにした火力発電システムにおける石炭バンカ自動焚き切り操作システム。
【請求項１４】
請求項８乃至１３のいずれかに記載の火力発電システムにおける石炭バンカ自動焚き切り操作システムにおいて、給炭機停止後にミルを停止するようにした火力発電システムにおける石炭バンカ自動焚き切り操作システム。
【発明の詳細な説明】
【技術分野】
【０００１】
本発明は、火力発電システムにおける石炭バンカ自動焚き切り操作方法とそのシステムに関する。
【背景技術】
【０００２】
石炭火力発電所においては、悪天候や落雷時等の気象状況や電力消費状況等に対応して随時に又はプラントの点検の際に運転を停止する必要がある。その際、石炭バンカ内に石炭を長期間保管すると石炭が自然発火する恐れがあるため、プラントを長期間停止する場合には石炭バンカ内の石炭を焚き切ってから停止する方が安全である。
また、焚き切りはプラント運転中に行うため、単に焚き切るバンカへの送炭を停止するだけでなく、対象バンカからボイラへの給炭量を調整しなければ、焚き切った直後のプラント全燃料量の変化が大きくなり、プラント全体で異常状態が発生する恐れがある。そのため、対象給炭機の給炭量をバンカレベルに応じて最低給炭量まで減少させ、他のミル又は他の燃料設備に燃料制御のウェートをかけることにより、焚き切りによるプラントへの影響を最小限にする必要がある。
【０００３】
従来、石炭火力発電所における石炭バンカの焚き切り運転は、現場にてバンカ内の石炭レベルを目視により監視し、現場と中央制御室間で連絡を取り合いながら、石炭量レベルが少なくなると、中央制御室からの指令により給炭機の給炭量を減少させていき、現場の目視によるバンカレベルゼロの連絡と同時にコールゲート弁を閉鎖操作していた。
【発明の開示】
【発明が解決しようとする課題】
【０００４】
そのため、現場に多数の人員配置が必要で、人の経験に拠るところが多くなると共に、オペレータが焚き切り操作に集中してしまい、他のユニットの監視意識が薄くなる課題があった。
【課題を解決するための手段】
【０００５】
そこで本発明は、石炭バンカ内の石炭を給炭機を介してミルに供給し、ミルで粉塵化した石炭を熱空気と混合してボイラの石炭バーナーに供給するようになしたボイラの給炭システムを有する火力発電システムにおいて、石炭バンカ内の石炭量をレベル計で監視し、石炭量が所定の焚き切り開始レベルに達したところで給炭機の給炭量を所定の割合で所定の焚き切り給炭量になるように自動で減少させ、焚き切り給炭量で運転して石炭バンカ内の石炭量がゼロレベルに達したところで石炭バンカから給炭機に達する供給路に設けたコールゲート弁を自動で閉鎖し、次いで給炭機を自動停止するようにしてなる火力発電システムにおける石炭バンカ自動焚き切り操作方法とそのシステムを提供するものである。
【０００６】
また、本発明は、上記の火力発電システムにおける石炭バンカ自動焚き切り操作方法において、給炭機の焚き切り給炭量がボイラに供給し得る最低給炭量に設定してある火力発電システムにおける石炭バンカ自動焚き切り操作方法とそのシステムを提供するものである。  
【０００７】
また、本発明は、上記の火力発電システムにおける石炭バンカ自動焚き切り操作方法において、給炭機の焚き切り給炭量が通常運転時の給炭量の約半分に設定してある火力発電システムにおける石炭バンカ自動焚き切り操作方法とそのシステムを提供するものである。
【０００８】
また、本発明は、上記の火力発電システムにおける石炭バンカ自動焚き切り操作方法において、石炭バンカの上部に設けたレベル計で石炭バンカ内の石炭量を監視するようにした火力発電システムにおける石炭バンカ自動焚き切り操作方法とそのシステムを提供するものである。
【０００９】
また、本発明は、上記の火力発電システムにおける石炭バンカ自動焚き切り操作方法において、レベル計が超音波方式からなる火力発電システムにおける石炭バンカ自動焚き切り操作方法とそのシステムを提供するものである。
【００１０】
また、本発明は、上記の火力発電システムにおける石炭バンカ自動焚き切り操作方法において、石炭バンカの下部に設けたローレベル監視用のレベル計で石炭バンカ内の石炭量を監視するようにした火力発電システムにおける石炭バンカ自動焚き切り操作方法とそのシステムを提供するものである。
【００１１】
また、本発明は、上記の火力発電システムにおける石炭バンカ自動焚き切り操作方法において、給炭機停止後にミルを停止するようにした火力発電システムにおける石炭バンカ自動焚き切り操作方法とそのシステムを提供するものである。
【発明の効果】
【００１２】
本発明に係る火力発電システムにおける石炭バンカ自動焚き切り操作方法とそのシステムによれば、石炭バンカ内の石炭を給炭機を介してミルに供給し、ミルで粉塵化した石炭を熱空気と混合してボイラの石炭バーナーに供給するようになしたボイラの給炭システムを有する火力発電システムにおいて、石炭バンカ内の石炭量をレベル計で監視し、石炭量が所定の焚き切り開始レベルに達したところで給炭機の給炭量を所定の割合で所定の焚き切り給炭量になるように自動的に減少させ、焚き切り給炭量で運転して石炭バンカ内の石炭量がゼロレベルに達したところで石炭バンカから給炭機に達する供給路に設けたコールゲート弁を自動で閉鎖し、次いで給炭機を自動停止するようにしてなる構成を有することにより、中央制御室において石炭バンカ内の石炭量をレベル計で監視することができるから、石炭量が所定の焚き切り開始レベルに達したところで給炭機の給炭量を所定の割合で所定の焚き切り給炭量になるように自動的に減少させる制御ができ、焚き切り給炭量で運転して石炭バンカ内の石炭量がゼロレベルに達したところで石炭バンカから給炭機に達する供給路に設けたコールゲート弁を自動で閉鎖し、次いで給炭機を自動停止することにより、現場における多数の人員配置が不要で、人の経験に拠ることなく中央制御室においてオペレータが容易に安全に迅速に焚き切り操作を行うことができる効果がある。
【００１３】
また、本発明は、上記の火力発電システムにおける石炭バンカ自動焚き切り操作方法とそのシステムにおいて、給炭機の焚き切り給炭量がボイラに供給し得る最低給炭量に設定してあることにより、焚き切り時に最低の給炭量で運転することによって、石炭バンカ内の石炭量がゼロレベルに達したところで、石炭バンカから給炭機に達する供給路に設けたコールゲート弁を閉鎖したとき、迅速に給炭機による給炭を停止することができる効果がある。
【００１４】
また、本発明は、上記の火力発電システムにおける石炭バンカ自動焚き切り操作方法とそのシステムにおいて、給炭機の焚き切り給炭量が通常運転時の給炭量の約半分に設定してある構成を有することにより、通常運転時に対して焚き切り運転時の発電電力の調整が容易にできる効果がある。
【００１５】
また、本発明は、上記の火力発電システムにおける石炭バンカ自動焚き切り操作方法とそのシステムにおいて、石炭バンカの上部に設けたレベル計で石炭バンカ内の石炭量を監視するようにした構成を有することにより、バンカ内の石炭量を上から底まで広い計測範囲に渡って監視することができる効果がある。
【００１６】
また、本発明は、上記の火力発電システムにおける石炭バンカ自動焚き切り操作方法とそのシステムにおいて、レベル計が超音波方式からなる構成を有するから、バンカ内の石炭量を上から底まで広い計測範囲に渡って監視することができる効果がある。
【００１７】
また、本発明は、上記の火力発電システムにおける石炭バンカ自動焚き切り操作方法とそのシステムにおいて、石炭バンカの下部に設けたローレベル監視用のレベル計で石炭バンカ内の石炭量を監視するようにした構成を有するから、ローレベルでのレベル把握の精度を高めることができる効果がある。
【００１８】
また、本発明は、上記の火力発電システムにおける石炭バンカ自動焚き切り操作方法とそのシステムにおいて、給炭機停止後にミルを停止するようにした構成を有することにより、ミル内圧による炭塵の逆流を防止することができる効果がある。
【発明を実施するための最良の形態】
【００１９】
以下図示する実施例により本発明を説明する。
【実施例１】
【００２０】
図１において、１０は石炭バンカで、上部のメインバンカ１１と下部のサブバンカ１２からなり、給炭はサブバンカ１２から供給路１３を経て給炭機１４に供給されるように構成してある。
給炭機１４内には、中央制御室の遠隔操作で給炭量を自動制御可能なコンベアが内蔵されている。コンベアは、例えば、ベルト進行距離検出部と荷重検出部からなる給炭量検出手段を備えたベルトコンベアからなり、中央制御室で給炭量を検出し、ベルト速度を調整することにより給炭量を制御することができるように構成してある。
給炭機１４からミルに供給された石炭は、粉塵化されて熱空気と混合してボイラの石炭バーナーに供給されるように構成してある。
【００２１】
実施例の場合、石炭バンカ１０の上部には、石炭量を上方から監視する超音波方式のレベル計が設けられており、石炭量の残量レベル約０ｍから約２５ｍまで測定可能である。石炭量の残量レベルは、メインバンカ１１とサブバンカ１２との境界部分で約８．５ｍであり、約２．０ｍで焚き切り開始レベル、０ｍでゼロレベルとなり、中央制御室で監視可能に構成してある。
【００２２】
サブバンカ１２から給炭機１４に至る供給路１３には、コールゲート弁１５が設けられており、図２に記載のように、中央制御室Ｃがレベル計Ｌからのゼロレベル監視信号Ｌ０を受けると、自動的に供給路を閉鎖する指令信号Ｃ０がコールゲート弁１５に送られ、自動閉鎖するようにように構成してある。
【００２３】
なお、上記レベル計とは別に、中央制御室でサブバンカ１２内のレベルをより精密に監視することができるように、サブバンカ１２にレベル発信器を取り付け、サブバンカ内のレベル低下に伴って給炭量を減少させる制御回路により、給炭量を減少させ、ゼロレベルになると同時にコールゲート弁１５を閉止する構成にすることも可能である。
【００２４】
次いで、図３及び図４に基づいて、火力発電システムにおける石炭バンカ自動焚き切り操作方法とそのシステムの説明をすると、石炭バンカ１０のレベル計Ｌのレベルが約１０．０ｍになると、図３のステップＳ１おいて、石炭バンカ内の石炭量が低レベルに達したことを中央制御室Ｃに警報する警報手段が作動し、バンカ焚き切り操作を行うか否か、行うとすれば何時から行うのか等の制御準備がなされ、次いでレベル計Ｌのレベルが約８．５ｍになると、ステップＳ２に記載のように、バンカ焚き切りの準備段階に入り、具体的に焚き切りに関連するプログラムが組まれる。
【００２５】
引き続き、図３のステップＳ３に記載のように、レベル計Ｌのレベルが約２．０ｍに達すると、図２に記載のように、レベル計Ｌから中央制御室Ｃにバンカ焚き切り開始レベルの信号Ｌ２が発せられ、バンカ焚き切りシステムが作動し、給炭機１４に給炭量を所定の割合で減少させる制御信号Ｃ２を発する制御回路が働き、例えば、それまで通常運転時の給炭量３０ｔｏｎ／ｈであったのを、所定時間後に焚き切り給炭量１５ｔｏｎ／ｈまで給炭量を半減するように給炭機１４の制御を開始し、ステップＳ４に記載のように、半減状態に達したところで、給炭量を１５ｔｏｎ／ｈに維持する。
【００２６】
この給炭機１４の焚き切り給炭量１５ｔｏｎ／ｈは、実施例の場合、ボイラに供給し得る最低給炭量に設定してあり、焚き切り時に最低の給炭量で運転することによって、石炭バンカ１０内の石炭量がゼロレベルに達したところで、石炭バンカから給炭機１４に達する供給路１３に設けたコールゲート弁１５を閉鎖したとき、迅速に給炭機１４による給炭を停止することができる効果がある。
また、給炭機１４の焚き切り給炭量が通常運転時の給炭量の約半分に設定してあることにより、通常運転時に対して焚き切り運転時の発電電力の調整が容易にできる効果がある。
【００２７】
引き続く焚き切り給炭量１５ｔｏｎ／ｈによる給炭機１４の運転により、図３のステップ５に記載のように、レベル計Ｌが０ｍを検出したところで、図２に記載のように、焚き切りレベル信号Ｌ０を中央制御室Ｃに送信し、バンカ焚き切りシステムの給炭停止信号Ｃ０が作動し、コールゲート弁１５が自動で閉止し、給炭機１４への供給が途絶え、引き続いて、ステップ６に記載のように、給炭機１４が停止する。
その後、ミルが停止して、石炭バーナーへの石炭粉塵の供給も停止することとなる。
【図面の簡単な説明】
【００２８】
【図１】本発明に係る石炭バンカシステムの概略説明図。
【図２】そのバンカ焚き切りシステムの一実施例の概略説明図。
【図３】そのシステムの一操作態様の概略を示すフロ−チャート。
【符号の説明】
【００２９】
１０    石炭バンカ
１１    メインバンカ
１２    サブバンカ
１３    供給路
１４    給炭機
１５    コールゲート弁
Ｌ      レベル計
Ｃ      中央制御室
【図１】
2008111586.tif 000003
【図２】
2008111586.tif 000004
【図３】
2008111586.tif 000005